(57)【特許請求の範囲】
【請求項１】
電子機器であって、
前面と、
前記前面の内部表面にある第１のプリント回路基板と、
前記前面と対向する前記第１のプリント回路基板の一側面の、前記第１のプリント回路基板上にある起動リセットスイッチと、
起動端とリセットボタン端との間に支点を有するリセットボタンアセンブリであって、前記リセットボタン端はリセットボタンを有し、前記起動端は起動突起を有し、前記起動突起は前記起動リセットスイッチに面し、前記リセットボタンは前記起動突起と同じ方向を向く、前記リセットボタンアセンブリと、
水平であり、前記第１のプリント回路基板に直交する第２のプリント回路基板と、
中央窪み部分を囲う平面的な周辺部分を有する上部ヒートシンクであって、前記中央窪み部分は前記第２のプリント回路基板上の発熱要素に接触している、前記上部ヒートシンクと、
前記第２のプリント回路基板上にあり、又は隣接するハードドライブと、
前記電子機器の底面にあり、かつ前記ハードドライブ下にある冷気吸入ベントと、
前記電子機器の背面にある排気ファンと、
前記ハードドライブの少なくとも一部の下に配置され、前記冷気吸入ベントおよび前記排気ファンの間にある冷気チャネルと、
前記ハードドライブおよび冷気チャネルと、前記上部ヒートシンクおよび前記上部ヒートシンクに接触した前記発熱要素を含む前記第２のプリント回路基板の一部とを分離する隔壁と、
を備え、
前記リセットボタンアセンブリは、前記リセットボタンに内向きの力が加わったときに前記電子機器をリセットするよう構成され、前記内向きの力は、前記起動突起が前方に起動する力を前記起動リセットスイッチに加えてリセットを開始するように前記リセットボタンアセンブリを前記支点に関して回転させ、前記内向きの力および前記前方に起動する力は向きが対向する、前記電子機器。
【請求項２】
前記内部表面に面し、前記内部表面に直交するスプリングレグを備え、前記スプリングレグは前記支点と前記起動突起との間にあり、前記スプリングレグは、前記起動突起が前記起動リセットスイッチに隣接し、前記内向きの力が加えられたときに前記起動リセットスイッチを起動するために配置されるように前記リセットボタンアセンブリを適切な位置に固定する、請求項１に記載の電子機器。
【請求項３】
前記第２のプリント回路基板上のスマートカードリーダーをさらに備えた、請求項１または２に記載の電子機器。
【請求項４】
前記電子機器はセットトップボックスである、請求項１から３のいずれかに記載の電子機器。
【請求項５】
電子機器であって、
前面と、
前記前面の内部表面にある第１のプリント回路基板と、
前記前面と対向する前記第１のプリント回路基板の一側面の、前記第１のプリント回路基板上にある起動リセットスイッチと、
起動端とリセットボタン端との間に支点を有するリセットボタンアセンブリであって、前記リセットボタン端はリセットボタンを有し、前記起動端は起動突起を有し、前記起動突起は前記起動リセットスイッチに面し、前記リセットボタンは前記起動突起と同じ方向を向く、前記リセットボタンアセンブリと、
水平であり、前記第１のプリント回路基板に直交する第２のプリント回路基板と、
中央窪み部分を囲う平面的な周辺部分を有する上部ヒートシンクであって、前記中央窪み部分は前記第２のプリント回路基板上の発熱要素に接触している、前記上部ヒートシンクと、
前記第２のプリント回路基板上にあり、又は隣接するハードドライブと、
前記電子機器の底面にあり、かつ前記ハードドライブ下にある冷気吸入ベントと、
を備え、
前記リセットボタンアセンブリは、前記リセットボタンに内向きの力が加わったときに前記電子機器をリセットするよう構成され、前記内向きの力は、前記起動突起が前方に起動する力を前記起動リセットスイッチに加えてリセットを開始するように前記リセットボタンアセンブリを前記支点に関して回転させ、前記内向きの力および前記前方に起動する力は向きが対向する、前記電子機器。
【発明の詳細な説明】
【技術分野】
【０００１】
（関連技術の相互参照）
本出願は、２０１１年３月９日に出願された米国特許仮出願番号６１／４６４，７７８の利益を主張する。
【０００２】
本発明は、セットトップボックスに関し、より詳細には、組み立てが容易なリセットボタンとライトガイドとを有するセットトップボックスに関する。
【背景技術】
【０００３】
多くの従来のセットトップボックスでは、セットトップボックスのリセットには、メインプリント回路基板に配置されたリセットタックスイッチの起動を必要とする。一般に、メインプリント回路基板は水平な平面構造であり、タックスイッチはメインプリント回路基板上にある。セットトップボックス内部に位置するタックスイッチは、利用し難く、かつ一般にセットトップの外装面付近に、いくつかのボタン、アクセス開口又は同種のものを必要とし、ボタン、アクセス開口又は同種のものを介してタックスイッチを起動する電気ケーブルを必要とする。
【発明の概要】
【発明が解決しようとする課題】
【０００４】
消費者の選好に起因するセットトップボックスの大きさの小型化又は縮小の高まる要求を考慮すると、内部ケーブルの無い又はケーブルが少ない、およびコンパクトな空間の効率的なサイズをもたらす他の設計特性を有するセットトップボックスを開発するニーズが存在する。コンパクト性は熱管理を難しくすることに注意することが重要である。したがって、長期間適切に機能する望ましいセットトップボックスのために、そのようなセットトップボックスは適切な熱管理システムを未だに持たなくてはならない。
【課題を解決するための手段】
【０００５】
従って、上記課題を考慮して本発明を考案し、本発明の対象は、とりわけ、コンパクトな空間の効率的な設計をされたセットトップボックスのような電子装置を提供する。この電子装置は、前面、前面の内部表面上の第１のプリント回路基板、前面と反対側の第１のプリント回路基板上の起動リセットスイッチ、および起動端部とリセットボタン端部との間の支点を有するリセットボタンアセンブリであって、リセットボタン端部はリセットボタンを有し、起動端部は起動突起を有する。起動突起とリセットボタンは両者が同じ方向を向いている。リセットボタンアセンブリは、内向きの力がリセットボタンに加わるとき電子装置をリセットすることができ、内向きの力は、起動突起が前方の起動する力を起動リセットスイッチに加えてリセットを開始するように、リセットボタンアセンブリを支点の周りに回転させる。内部表面と直交する内部表面と向かい合うスプリングレグを設けることができ、スプリングレグは支点と起動突起との間にあり、スプリングレグは、起動突起が起動リセットスイッチに隣接し、内向きの力が加わったときに起動リセットスイッチを起動するように配置された位置にリセットボタンアセンブリを固定する。電子装置は、水平で第１のプリント回路基板と直交した第２のプリント回路基板も有することができ、スマートカードリーダーが第２のプリント回路基板上にある。電子装置は、中央窪み部分を囲う平面的な周辺部分を持つトップヒートシンクを有することもでき、中央窪み部分は第２のプリント回路基板上の発熱要素と接触している。電子装置は、電子装置の底面上でハードドライブの下に冷気吸入ベント、電子装置の背面に排気ファン、およびハードドライブの少なくとも一部の下に位置し、冷気吸入ベントと排気ファンとの間にある冷気チャネルをさらに備えることができる。内部隔壁は、ハードドライブと冷気チャネルが隔壁の一側面上にあり、スマートカードリーダーとトップヒートシンクが隔壁と反対側で装置内に位置されることができる。
【０００６】
本発明について、図面を参照しながら実施形態に関して詳細に説明する。
【図面の簡単な説明】
【０００７】
【図１】本発明に係るセットトップボックスの正面図である。
【図２】本発明に係るセットトップボックスの後方斜視図である。
【図３Ａ】本発明に係るセットトップボックスの内部斜視図である。
【図３Ｂ】本発明に係るセットトップボックスの内部斜視図である。
【図３Ｃ】本発明に係るセットトップボックスの内部斜視図である。
【図４】本発明に係るセットトップボックスの断面図である。
【図５】本発明に係るセットトップボックスの前部アセンブリの斜視図である。
【図６】前部アセンブリ上のリセットボタンアセンブリの後部斜視図である。
【図７】リセットボタンアセンブリの断面図である。
【発明を実施するための形態】
【０００８】
新規のリセットボタン機構、ライトガイドおよび熱管理システムを有する本発明に係るセットトップボックス１０について、ここで図１〜７を参照しながら説明する。
【０００９】
図１は、セットトップボックス１０の正面図を示し、前面はベイドア（bay door）１１、電源ボタン１３、および表面図柄と様々なコントロールボタンを備えたフロントパネル１２を含む。図２は、セットトップボックスの後方斜視図を示し、背面１５は様々な電気コネクタ群および熱管理を助ける排気ファン１４を含む。
【００１０】
図３を参照すると、セットトップボックスは、ハードドライブ２２を有するハードドライブ部とスマートカードリーダー１７を有するスマートカード部とを仕切る熱隔壁２４を含む新規の熱管理システムを有する。図３は本発明に係るセットトップボックスの内部斜視図および内部のコンポーネントを示す。このシステムは、第２のプリント回路基板３２（図示せず）上のリセットボタン３４を含む。第２のプリント回路基板３２は、それとその上にいくつかの発熱要素を、セットトップボックス１０内でメインプリント回路基板１６およびその上の発熱要素と間隔を開けることによって熱管理を助ける。図３Ａは、特に、一般化したフロントパネル１２を有するセットトップボックス１０を示し、セットトップボックスの上部およびドア１１からスマートカードベイ又はポート１９まで、内部の特徴が見えるように取り除かれている。この例では、排気ファン１４はハードドライブ２２の後ろにあり、ハードドライブ２２はセットトップボックス１０の片側に置くことができ、プリント回路基板１６上か又はプリント回路基板１６に隣接して置くことができる。図３Ｂはプリント回路基板１６を示し、回路基板はその上に熱パッド２０を有してプリント回路基板１６上又はその近くの発熱要素からの熱除去を助ける。熱パッド２０は、その上にヒートシンクが置かれたときに熱除去を助ける。この熱除去特性は重要で、スマートカードリーダー１７内のスマートカード１８は一般的に相当な熱を発生する。ヒートシンクは、ヒートシンク接点２１と上部ボードヒートシンク２３とを含むことができる。上部ボードヒートシンク２３は、セットトップボックスのメイン集積回路を冷やす効果的な方法であることが証明されている。図３Ａ、３Ｃは、冷気チャネルと平行して走り、セットトップボックスの前面および背面と直交し、それらの間に伸びる隔壁２４を示す。隔壁２４は、回路基板１６上のボードヒートシンクからハードドライブを分離する。回路基板１６は、背面１５の長さに広げることができる。
【００１１】
図３Ｃに示す上部ボードヒートシンク２３は、ポケット、中央窪み、ノッチ、リセス、多段窪み、平面外周部の平面からおよび／又はその内部に伸びたメサなど、一般的な平面外周部および輪郭付けられた中央部２５を有する一般的な輪郭形成プレートとすることができ、平面外周部は中央窪みを囲むことが望ましい。図示の実施形態では、平面外周部２６は、中央窪み部分２５の３辺又は４辺を囲む。中央部分又は中央窪み２５は平面外周部から伸びた側壁を有し、それらで鈍角を形成することができる。輪郭形成の特徴は、選択的に、その下に置くことができるメイン集積回路および／又はメインプリント回路基板１６上の他の発熱要素に接触するように設計された平らな底部を有することができる。
【００１２】
図４は、空気が吸気ベント２７を通ってセットトップボックス内に引き込まれる、セットトップボックスの熱管理システムの追加の特徴を示す。図４は、図３Ａにおける、セットトップボックスのハードドライブ側からのセットトップボックス１０の断面Ａ−Ｂである。ここで、ハードドライブ部分は、セットトップボックスの背面にある排気ファン１４と前面の近く又は隣接してセットトップボックスの底面上にある冷気吸入ベント２７との間に冷気チャネル２７を有する。冷気チャネル２８は、ハードドライブ２２、ハードドライブケース、又はその上の回路基板およびセットトップボックスの側面２９および隔壁２４によってさらに規定又は限定される。冷気吸入ベント２７は、背面よりも前面により近くて冷気チャネル２８の長さが伸びることが望ましい。ハードドライブを適当な位置に置くことで、システムは、空気が冷気吸入ベントから排気ファンを通ってセットトップボックスの外に流れることを可能にする。つまり、熱管理システムは、（１）隔壁２４のスマートカード側において、熱が上部ボードヒートシンク２３に伝わり、セットトップボックスの上部に放出し、それにより、熱が分散および外部に放出することを可能にし、（２）隔壁２４のハードドライブ側において、ハードドライブ２２からの熱が、ハードドライブ２２又はハードドライブの底部が接触するコンポーネント壁の表面と接触する空気による気流によって抽出される。空気は、図２に示すセットトップボックス１０の排気ファン１４を通って後方に、そして背面のファンベントを通って外に移動する。
【００１３】
図５は、セットトップボックス１０の前部アセンブリの斜視図を示す。前部アセンブリは前面フレーム３０を有し、前面フレーム３０はフロントパネル回路基板３２上に設けることができるスイッチからの導光用の開口部を有する遮光ベゼル３１を有する。ベゼル３１は、ライトガイド３３を有してベゼルの開口部を通して光を適切に分散又は拡散する。光源は、前面回路基板３２上に設けることができる。透明な又は半透明なフロントパネル１２は、ライトガイド３３および／又はベゼル３２上に設けることができる。このフロントパネル１２は、その上に表面図柄を有することができる。フロントパネル１２の一方の外側端には、スマートカードポートアクセスドア１１があり、その後ろにはスマートカードポート１９およびリセットボタン３４がある。電源ボタン１３は、ドア１１の反対側のフロントパネル１２の他方の側にある。フロントパネルの他方の外側端にある電源ボタン１３は、フロントパネル１２で選択的に覆うことができる。セットトップボックスを大きくしないための薄さ制約があるとき、フロントパネル上に図を光らせる手段を備える。この照明手段は、フロントパネルとプリント回路基板との間を真空にしてタッチセンサー式ボタンとすることができ、これにより部品（光コンポーネントおよび／又はケーブルなど）を省いたり、隙間を無くしたりする構成とすることができる。
【００１４】
図６は、図５の部分Ｃに示すドア１１後側である、前面アセンブリ上のリセットボタンアセンブリ３６の背面を示す。リセットボタンアセンブリは、スマートカードポート１９の上の前面フレーム３０に見える。フロントパネル回路基板３２上に起動リセットスイッチ３５がある。このスイッチ３５は、起動させるときセットトップボックスを実際にリセットする。
【００１５】
図７は、リセットボタンアセンブリ又は機構３６の断面を示す。図７では、機構３６はドア１１および前面フレーム３０の後ろに見える。ドア１１は、ボタン３４にアクセスできるように回転して開くよう設計されている。機構３６は、起動又は作動端４１を有し、それは、前方の起動する力３９をフロントパネルプリント回路基板３２の内側にある起動リセットスイッチ３５に加える。フロントパネルプリント回路基板３２は、セットトップボックスの前面において垂直方向に置かれることができ、水平なメインプリント回路基板１６に対して直交することができる。起動端４１は、起動リセットスイッチ３５と接触する突起を有する。起動スイッチ３５は、マイクロスイッチとすることができる。起動スイッチ３６に加えられる力３９の向きは、起動端４１の反対側にある機構３６の先端で後方作動力又は内向きの力３８と反対向きである。機構３６は、前面フレーム３０内の支点ポケットに載っている支点３７を有する。内向きの力３８は、機構３６を支点３７の周りに図７において反時計回りに回転させ、その結果として起動する力３９を起動端４１に加える。従って、起動する力３９は、起動端４１又は起動端４１上の突起を介してタクトスイッチ又は起動リセットスイッチ３５に加えられる。一般に機構３６の長手方向およびセットトップボックスの前面と直交することができ、機構からセットトップボックスの前面に伸びるスプリングレグ４０がある。スプリングレグ４０は、支点３７の起動端側に位置する。スプリングレグ４０は、ボタン端３４および起動端４１が適切な位置にあり、リセットスイッチが内向きの力３８が加わるまで起動しないように、機構の回転又は位置を維持する。スプリングレグ４０の支点に面している側は、前面と直交する、垂直に方向付けられたスプリングレグ面４２上の起動端と接触し、そこから離れる横力を加えることができる。これは、ボタン３４が押されるまで起動リセットスイッチ３５が起動されるのを防ぐ。
【００１６】
回路基板および／又はコンポーネントはその上で一般的に熱を発生するので、異なる機能性を有する本発明の実施形態のように２つの基板を有することは、セットトップボックスで発生した熱の拡散および分散を拡張する。これは、熱の局所化を避け、熱分散の多くの機会を提供する点で優位である。隔壁は、空気チャネル２７と接し、空気チャネルを形成することによって、熱拡散のさらなる最適化を助ける。
【００１７】
図面は、開示したものの概念を説明する目的のためであり、必ずしも開示したものを説明するために唯一の可能な構成ではない。例えば、実施例はセットトップボックスおよびスマートカードに関して述べられているが、本発明は、ハードドライブおよびスマートカード以外の情報カードの一種を有することができる他の装置を有する他の電子機器に適用可能である。
［付記１］
前面と、
前記前面の内部表面にある第１のプリント回路基板と、
前記前面と対向する前記第１のプリント回路基板の一側面に、前記第１のプリント回路基板上にある起動リセットスイッチと、
起動端とリセットボタン端との間に支点を有するリセットボタンアセンブリであって、前記リセットボタン端はリセットボタンを有し、前記起動端は起動突起を有し、前記起動突起は前記起動リセットスイッチに面し、前記リセットボタンは起動突起と同じ方向を向く、前記リセットボタンアセンブリと、
を備えた電子機器。
［付記２］
前記リセットボタンアセンブリは、前記リセットボタンに内向きの力が加わったときに前記電子機器をリセットするよう構成され、前記内向きの力は、前記起動突起が前方に起動する力を前記起動リセットスイッチに加えてリセットを開始するように前記リセットボタンアセンブリを前記支点に関して回転させ、前記内向きの力および前記前方に起動する力は向きが対向する、付記１に記載の電子機器。
［付記３］
前記内部表面に面し、前記内部表面に直交するスプリングレグを備え、前記スプリングレグは前記支点と前記起動突起との間にあり、前記スプリングレグは、前記起動突起が前記起動リセットスイッチに隣接し、前記内向きの力が加えられたときに前記起動リセットスイッチを起動するために配置されるように前記リセットボタンアセンブリを適切な位置に固定する、付記２に記載の電子機器。
［付記４］
第２のプリント回路基板であって、水平であり、前記第１のプリント回路基板に直交する前記第２のプリント回路基板と、
前記第２のプリント回路基板上のスマートカードリーダーと、
を備えた、付記３に記載の電子機器。
［付記５］
中央窪み部分を囲う平面的な周辺部分を有する上部ヒートシンクを備え、前記中央窪み部分は、前記第２のプリント回路基板上の発熱要素に接触している、付記４に記載の電子機器。
［付記６］
第２のプリント回路基板であって、水平であり、前記第１のプリント回路基板に直交する前記第２のプリント回路基板と、
前記第２のプリント回路基板上にあり、又は隣接するハードドライブと、
を備えた、付記３に記載の電子機器。
［付記７］
前記電子機器の底面上および前記ハードドライブ下にある冷気吸入ベントと、
前記電子機器の背面にある排気ファンと、
前記ハードドライブの少なくとも一部の下に配置され、前記冷気吸入ベントおよび前記排気ファンの間にある冷気チャネルと、
を備えた、付記６に記載の電子機器。
［付記８］
前記第２のプリント回路基板上にあり、又は隣接するハードドライブと、
前記電子機器の底面上および前記ハードドライブ下にある冷気吸入ベントと、
前記電子機器の背面にある排気ファンと、
前記ハードドライブの少なくとも一部の下に配置され、前記冷気吸入ベントおよび前記排気ファンの間にある冷気チャネルと、
を備えた、付記５に記載の電子機器。
［付記９］
隔壁を備え、前記ハードドライブおよび冷気チャネルは前記隔壁の一方の側にあり、前記スマートカードリーダーおよび前記上部ヒートシンクは前記隔壁の他方の側にある、付記８に記載の電子機器。
［付記１０］
前記電子機器はセットトップボックスである、付記１に記載の電子機器。
［付記１１］
第２のプリント回路基板と、
前記第２のプリント回路基板上にある情報カードリーダーと、
を備えた、付記３に記載の電子機器。
［付記１２］
中央窪み部分を囲う平面的な周辺部分を有する上部ヒートシンクを備え、前記中央窪み部分は、前記第２のプリント回路基板上の発熱要素に接触している、付記１１に記載の電子機器。
［付記１３］
前記電子機器の底面上および前記ハードドライブ下にある冷気吸入ベントと、
前記電子機器の背面にある排気ファンと、
前記ハードドライブの少なくとも一部の下に配置され、前記冷気吸入ベントおよび前記排気ファンの間にある冷気チャネルと、
を備えた、付記１２に記載の電子機器。
［付記１４］
第２のプリント回路基板であって、水平であり、前記第１のプリント回路基板に直交する前記第２のプリント回路基板と、
前記第２のプリント回路基板上にあり、又は隣接するハードドライブと、
前記電子機器の底面上および前記ハードドライブ下にある冷気吸入ベントと、
前記電子機器の背面にある排気ファンと、
前記ハードドライブの少なくとも一部の下に配置され、前記冷気吸入ベントおよび前記排気ファンの間にある冷気チャネルと、
隔壁を備え、前記ハードドライブおよび冷気チャネルは前記隔壁の一方の側にあり、前記スマートカードリーダーおよび前記上部ヒートシンクは前記隔壁の他方の側にある、付記３に記載の電子機器。
［付記１５］
隔壁を備え、前記ハードドライブおよび冷気チャネルは前記隔壁の一方の側にあり、前記スマートカードリーダーおよび前記上部ヒートシンクは前記隔壁の他方の側にある、付記１３に記載の電子機器。
【図１】
0005981462.tif 000002
【図２】
0005981462.tif 000003
【図３Ａ】
0005981462.tif 000004
【図３Ｂ】
0005981462.tif 000005
【図３Ｃ】
0005981462.tif 000006
【図４】
0005981462.tif 000007
【図５】
0005981462.tif 000008
【図６】
0005981462.tif 000009
【図７】
0005981462.tif 000010